(57)【要約】【課題】簡素な構造で低コストであり、かつ表示装置の組立・分解作業を簡単に行うことができる液晶表示装置用光学シートの保持具を提供する。【解決手段】液晶表示装置用の光学シート１３を保持するための軟質材料からなる第１保持部２１１を備えた第１保持片２１と、前記第１保持部と対向可能に配置され、前記第１保持部と協働して前記光学シートを挟んで保持するための軟質材料からなる第２保持部２２１を備えた第２保持片２２と、前記第１保持部および前記第２保持部を、前記光学シートを挟持させた状態に係止するための係止部２４と、前記第１保持片および前記第２保持片を前記液晶表示装置のシャーシ１に保持して固定するための固定部２４と、前記第１保持片または前記第２保持片の少なくとも一方に設けられ、前記光学シートを挟持するための支点となる支点部２３とを有する。【選択図】図２
2007188029.tif 000002
【特許請求の範囲】
【請求項１】
液晶表示装置用の光学シート（１３）を保持するための軟質材料からなる第１保持部（２１１）を備えた第１保持片（２１）と、
前記第１保持部（２１１）と対向可能に配置され、前記第１保持部（２１１）と協働して前記光学シート（１３）を挟んで保持するための軟質材料からなる第２保持部（２２１）を備えた第２保持片（２２）と、
前記第１保持部（２１１）および前記第２保持部（２２１）を、前記光学シート（１３）を挟持させた状態に係止するための係止部（２４）と、
前記第１保持片（２１）および前記第２保持片（２２）を前記液晶表示装置のシャーシ（１）に保持して固定するための固定部（２４）と、
前記第１保持片（２１）または前記第２保持片（２２）の少なくとも一方に設けられ、前記光学シート（１３）を挟持するための支点となる支点部（２３）とを有する液晶表示装置用光学シートの保持具。
【請求項２】
請求項１に記載した液晶表示装置用光学シートの保持具であって、
前記支点部（２３）は、前記第１保持片（２１）と前記第２保持片（２２）とを互いに連結するエラストマーからなるものである液晶表示装置用光学シートの保持具。
【請求項３】
請求項１に記載した液晶表示装置用光学シートの保持具であって、
前記支点部（５３）は、前記第１保持片（５１）または前記第２保持片（５２）の少なくとも一方に形成された凸部である液晶表示装置用光学シートの保持具。
【請求項４】
請求項１〜３のいずれか１項に記載した液晶表示装置用光学シートの保持具であって、
前記係止部（２４）と前記固定部（２４）が、同一の係止固定部（２４）として形成されたものである液晶表示装置用光学シートの保持具。
【請求項５】
請求項１〜４のいずれか１項に記載した液晶表示装置用光学シートの保持具であって、
前記第１保持部（２１１）および前記第２保持部（２２１）は、エラストマーで形成されたものである液晶表示装置用光学シートの保持具。
【請求項６】
請求項１〜５のいずれか１項に記載した液晶表示装置用光学シートの保持具であって、
前記第１保持片（２１）と前記第２保持片（２２）との間隔を適正な値に保って前記光学シート（１３）を保持するためのストッパ（２６）を有する液晶表示装置用光学シートの保持具。
【請求項７】
請求項１〜６のいずれか１項に記載した液晶表示装置用光学シートの保持具であって、
前記光学シート（１３）が複数の層を積層したものであり、
前記第１保持部（２１１）および前記第２保持部（２２１）によって前記光学シート（１３）の一部の層を除外して挟持するものである液晶表示装置用光学シートの保持具。
【請求項８】
請求項７に記載した液晶表示装置用光学シートの保持具であって、
前記光学シート（１３）の挟持から除外された層は、前記第１保持片（２１）と前記第２保持片（２２）のいずれかに固着されるものである液晶表示装置用光学シートの保持具。
【発明の詳細な説明】
【技術分野】
【０００１】
本発明は、大型液晶テレビジョン装置等のバックライト型液晶表示装置に使用される光学シートをシャーシに固定保持するための保持具に関し、詳しくは、簡素な構造でかつ表示装置の組立・分解作業を簡単に行うことができる液晶表示装置用光学シートの保持具に関するものである。
【背景技術】
【０００２】
大型液晶テレビジョン装置等のバックライト型液晶表示装置には光拡散シート、プリズムシート、偏光シート等の光学シートが使用されるが、従来、このような光学シートを表示装置のシャーシに固定保持するためには、表示装置の各機種ごとにそれぞれ個別の固定構造が設計および製作されていた。また、光学シートを固定保持したり、修理等のために光学シートを取り外したりする作業も機種ごとに異なる複雑な作業となっていた。
【０００３】
光学シートの固定構造としては、下記の特許文献１に記載されたような面光源装置も公知である。特許文献１には、両側面に蛍光ランプを取り付けた導光板の周囲にフレームを一体的に組み合わせ、導光板の表裏に対応するプリズムシート、拡散シートおよび反射シートを積層状態として、導光板側の係合凸部とフレーム側の係合凹部によりこれらの保持固定を行うことが記載されている。
【特許文献１】特開平１０−２５５５３３号公報
【発明の開示】
【発明が解決しようとする課題】
【０００４】
従来は、光学シートの固定構造が表示装置の各機種ごとにばらばらであり、汎用的に使用できる光学シートの保持具は存在しなかった。これでは、表示装置のコストも低減できず、また、表示装置の組立・分解作業等において、作業内容が機種ごとに異なる複雑なものとなっていた。
【０００５】
そこで、本発明は、簡素な構造で低コストであり、かつ表示装置の組立・分解作業を簡単に行うことができる液晶表示装置用光学シートの保持具を提供することを目的とする。
【課題を解決するための手段】
【０００６】
上記目的を達成するために、本発明の液晶表示装置用光学シートの保持具は、液晶表示装置用の光学シートを保持するための軟質材料からなる第１保持部を備えた第１保持片と、前記第１保持部と対向可能に配置され、前記第１保持部と協働して前記光学シートを挟んで保持するための軟質材料からなる第２保持部を備えた第２保持片と、前記第１保持部および前記第２保持部を、前記光学シートを挟持させた状態に係止するための係止部と、前記第１保持片および前記第２保持片を前記液晶表示装置のシャーシに保持して固定するための固定部と、前記第１保持片または前記第２保持片の少なくとも一方に設けられ、前記光学シートを挟持するための支点となる支点部とを有するものである。
【０００７】
また、上記の液晶表示装置用光学シートの保持具において、前記支点部を、前記第１保持片と前記第２保持片とを互いに連結するエラストマーからなるものとすることができる。
【０００８】
また、上記の液晶表示装置用光学シートの保持具において、前記支点部を、前記第１保持片または前記第２保持片の少なくとも一方に形成された凸部とすることができる。
【０００９】
また、上記の液晶表示装置用光学シートの保持具において、前記係止部と前記固定部を、同一の係止固定部として形成することができる。
【００１０】
また、上記の液晶表示装置用光学シートの保持具において、前記第１保持部および前記第２保持部は、エラストマーで形成されたものであることが好ましい。
【００１１】
また、上記の液晶表示装置用光学シートの保持具において、前記第１保持片と前記第２保持片との間隔を適正な値に保って前記光学シートを保持するためのストッパを有することが好ましい。
【００１２】
また、上記の液晶表示装置用光学シートの保持具において、前記光学シートが複数の層を積層したものである場合、前記第１保持部および前記第２保持部によって前記光学シートの一部の層を除外して挟持することもできる。
【００１３】
また、上記の液晶表示装置用光学シートの保持具において、前記光学シートの挟持から除外された層は、前記第１保持片と前記第２保持片のいずれかに固着されるものであることが好ましい。
【発明の効果】
【００１４】
本発明は、以上のように構成されているので、以下のような効果を奏する。
【００１５】
第１保持片および第２保持片からなる保持具によって、光学シートを適性かつ均等な挟持力により均一に保持することができる。保持具による光学シートの保持作業は、第１保持部および第２保持部の間に光学シートを挟んで保持具をシャーシに押し付けるだけの簡単な作業となる。また、光学シートを取り外す作業も、固定部の先端の爪とシャーシとの係合を外すことにより簡単に行うことができる。さらに、保持具の構造も簡素であり低コストである。
【００１６】
第１保持片と第２保持片とを互いに連結するエラストマーを支点部としたので、保持具が１つの部材に連結され取り扱いが容易となる。また、第１保持片と第２保持片が互いに支点部を中心に回動するため、光学シートの取り付け・取り外し作業も容易となる。
【００１７】
第１保持片または第２保持片の少なくとも一方に形成された凸部を支点部とした場合は、保持具の構造がさらに簡素となり、保持具のコストをさらに低減することができる。
【００１８】
係止部と固定部が同一の係止固定部として形成されたものでは、保持具の構造が簡素となり、保持具のコストをさらに低減することができる。
【００１９】
第１保持部および第２保持部を軟質のエラストマーで形成したので、光学シートに過大な挟持力を作用させることなく、適正な挟持力により高摩擦力の確実な保持を行うことができる。
【００２０】
保持具にストッパを設けたので、第１保持片と第２保持片との間隔を適正な値に保って、光学シートを適正な挟持力によって確実に保持することができる。
【００２１】
光学シートが複数の層を積層したものであり、一部の層の機械的強度が他の層より大幅に弱いものであっても、光学シートの一部の層を除外して挟持することにより、光学シートを十分な保持力で保持することができ、光学シートに十分な張力を与えて平面度を向上させることができる。
【００２２】
挟持から除外された層を第１保持片または第２保持片に固着することにより、挟持から除外された層にも十分な張力を与えることができる。
【発明を実施するための最良の形態】
【００２３】
本発明の実施の形態について図面を参照して説明する。図１は、液晶表示装置のシャーシ１への固定状態を示す図である。図１は表示画面と直交する平面で切断した断面図を示している。シャーシ１の表示画面から見て背面側には、蛍光管等のバックライト１２が配置されている。バックライト１２はシャーシ１に固定された支持部材１１に支持されている。
【００２４】
バックライト１２より表面側には、バックライト１２からの光を均等に拡散したり、偏光させるための光学シート１３が配置されている。光学シート１３は拡散シート、プリズムシート、偏光シートなどからなる。光学シート１３のシャーシ１への固定構造については後に詳しく説明する。そして、光学シート１３の表面側には表示画面としての液晶表示パネル１４が配置されシャーシ１に固定されている。
【００２５】
次に、光学シート１３をシャーシ１に固定するための保持具２について説明する。図２は、保持具２によって光学シート１３をシャーシ１に固定保持した状態を示す図である。また、図３は保持具２を開いた状態を示す図であり、図４は保持具２の断面図である。この図４は、図３におけるＡ−Ａ矢視断面図である。
【００２６】
保持具２は、第１保持片２１と第２保持片２２を連結した構造となっている。図３および図４に示すように、硬質樹脂（例えば、ＡＢＳ樹脂等）からなる第１保持片２１および第２保持片２２を、軟質のエラストマーからなる支点部２３で接合して連結したものである。硬質樹脂とエラストマーとの接合は公知の接合方法（例えば、接着剤や熱融着による接合）によって行えばよい。図４の二点鎖線矢印で示すように、第２保持片２２は第１保持片２１に対して支点部２３を中心に回動することができる。図４に二点鎖線で表示した第２保持片２２は、回動した状態を示すものである。そして、図２に示すように、保持具２によって光学シート１３を保持してシャーシ１に固定することができる。
【００２７】
第１保持片２１の先端部内側にはエラストマーからなる第１保持部２１１が固着されており、第２保持片２２の先端部内側にはエラストマーからなる第２保持部２２１が固着されている。前述のように、硬質樹脂とエラストマーとの固着は公知の接合方法（例えば、接着剤や熱融着による接合）によって行えばよい。第１保持部２１１および第２保持部２２１によって光学シート１３を挟持するのである。第１保持部２１１および第２保持部２２１が軟質のエラストマーからなるので、光学シート１３に過大な挟持力を作用させることなく、適正な挟持力により高摩擦力の確実な保持を行うことができる。
【００２８】
第２保持片２２には係止固定部２４が立設されている。また、第１保持片２１には係止固定部２４が貫通可能な貫通孔２５が設けられている。図２に示すように、係止固定部２４が貫通孔２５を通過し、係止固定部２４の先端の爪がシャーシ１に設けられた孔の周縁に係合することにより、第１保持片２１および第２保持片２２を挟持方向に付勢するとともに、保持具２をシャーシ１に固定する。すなわち、この係止固定部２４は、第１保持部２１１および第２保持部２２１によって光学シート１３を挟持した状態に係止する係止部と、保持具２をシャーシ１に固定する固定部の機能を兼ね備えている。
【００２９】
また、第１保持片２１にはストッパ２６が立設されている。このストッパ２６は第２保持片２２と当接することにより、第１保持片２１と第２保持片２２との間隔を適正な値に保ち、光学シート１３を適正な挟持力によって保持するためのものである。ストッパ２６によって、光学シート１３に過大な挟持力を作用させることなく、適正な挟持力による保持を行うことができる。
【００３０】
このように、保持具２によって、光学シート１３を適性かつ均等な挟持力により均一に保持することができる。保持具２による光学シート１３の保持作業は、第１保持部２１１および第２保持部２２１の間に光学シート１３を挟んで第２保持片２２をシャーシに押圧するだけの簡単な作業となる。また、光学シート１３を取り外す作業も、係止固定部２４の先端の爪とシャーシ１との係合を外すことにより簡単に行うことができる。
【００３１】
なお、保持具２は光学シート１３の４辺のそれぞれに適合する長さに形成されている。４つの保持具２により光学シート１３の４辺を保持してシャーシ１に固定する。小型の表示装置などの場合には、２つの保持具２により光学シート１３の対向する２辺だけを保持して固定するようにしてもよい。また、保持具２は、射出成形によって製造することができる。特に、２色射出成形によりエラストマー部分と硬質樹脂部分を融着させ、効率的に製造することができる。
【００３２】
次に、第２の実施の形態の保持具３について説明する。図５は、第２の実施の形態である保持具３の開いた状態を示す断面図である。そして図６は、保持具３によって光学シート１３をシャーシ１に固定保持した状態を示す図である。保持具３も保持具２と同様に、第１保持片３１と第２保持片３２を連結した構造となっている。図５に示すように、硬質樹脂（例えば、ＡＢＳ樹脂等）からなる第１保持片３１および第２保持片３２を、軟質のエラストマーからなる支点部３３で接合して連結したものである。硬質樹脂とエラストマーとの接合は公知の接合方法によって行えばよい。
【００３３】
図５の二点鎖線矢印で示すように、第２保持片３２は第１保持片３１に対して支点部３３を中心に回動することができる。図５に二点鎖線で表示した第２保持片３２は、回動した状態を示すものである。そして、図６に示すように、保持具３によって光学シート１３を保持してシャーシ１に固定することができる。
【００３４】
第１保持片３１の先端部内側にはエラストマーからなる第１保持部３１１が固着されており、第２保持片３２の先端部内側にはエラストマーからなる第２保持部３２１が固着されている。第１保持部３１１および第２保持部３２１によって光学シート１３を挟持するのである。第１保持部３１１および第２保持部３２１が軟質のエラストマーからなるので、光学シート１３に過大な挟持力を作用させることなく、適正な挟持力により高摩擦の保持を行うことができる。
【００３５】
第１保持片３１の内方には第１係止部３１２が立設されており、第２保持片３２の内方には第２係止部３２２が立設されている。図６に示すように、第１係止部３１２と第２係止部３２２とは、先端部の爪が互いに係合可能であり、第１保持片３１および第２保持片３２を挟持方向に付勢して係止する。また、第１保持片３１の外方には固定部３４が立設されている。図６に示すように、固定部３４の先端の爪がシャーシ１に設けられた孔の周縁に係合することにより、保持具３をシャーシ１に固定する。
【００３６】
また、第１保持片３１にはストッパ３６が立設されている。このストッパ３６は第２保持片３２と当接することにより、第１保持片３１と第２保持片３２との間隔を適正な値に保ち、光学シート１３を適正な挟持力によって保持するためのものである。ストッパ３６によって、光学シート１３に過大な挟持力を作用させることなく、適正な挟持力による保持を行うことができる。
【００３７】
保持具３の使用態様は保持具２と同様である。保持具３により光学シート１３の４辺を保持してもよいし、光学シート１３の対向する２辺だけを保持して固定するようにしてもよい。また、保持具３は、射出成形によって製造することができる。特に、２色射出成形によりエラストマー部分と硬質樹脂部分を融着させ、効率的に製造することができる。
【００３８】
次に、第３の実施の形態の保持具４について説明する。図７は、第３の実施の形態である保持具４によって光学シート１３をシャーシ１に固定保持した状態を示す図である。保持具４も保持具２，３と同様に、第１保持片４１と第２保持片４２を連結した構造となっている。すなわち、硬質樹脂（例えば、ＡＢＳ樹脂等）からなる第１保持片４１および第２保持片４２を、軟質のエラストマーからなる支点部４３で接合して連結したものである。
【００３９】
第２保持片４２は第１保持片４１に対して支点部４３を中心に回動することができる。そして、図７に示すように、保持具４によって光学シート１３を保持してシャーシ１に固定することができる。第１保持片４１の先端部内側にはエラストマーからなる第１保持部４１１が固着されており、第２保持片４２の先端部内側にはエラストマーからなる第２保持部４２１が固着されている。第１保持部４１１および第２保持部４２１によって光学シート１３を挟持するのである。第１保持部４１１、第２保持部４２１、第１保持片４１に設けられたストッパ等の機能は保持具２，３と同様である。
【００４０】
第１保持片４１および第２保持片４２には貫通孔が設けられている。その貫通孔に係止固定ピン４４を挿入して、さらに係止固定ピン４４の先端部の爪をシャーシ１に設けられた孔の周縁に係合することにより、第１保持片４１および第２保持片４２を挟持方向に付勢するとともに、保持具４をシャーシ１に固定する。すなわち、この係止固定ピン４４は、第１保持部４１１および第２保持部４２１によって光学シート１３を挟持した状態に係止する係止部と、保持具４をシャーシ１に固定する固定部の機能を兼ね備えている。
【００４１】
また、保持具４は、前述の実施の形態と同様に２色射出成形によって製造することができるが、押出成形によって製造することもできる。第１保持片４１および第２保持片４２は、押出成形による成形品を適宜の長さに切断して製造する。貫通孔は後加工により設ける。これにエラストマーからなる部分を接着等により固着して保持具４を製造することができる。さらに、押出成形によって製造する場合に、２色押出成形を利用することにより、硬質樹脂とエラストマーを同時に押出成形して一体に融着することもできる。係止固定ピン４４は、別途射出成形等によって製造したものを使用する。
【００４２】
次に、第４の実施の形態の保持具５について説明する。図８は、第４の実施の形態である保持具５によって光学シート１３をシャーシ１に固定保持した状態を示す図である。保持具５の構成は、前述の保持具４とほぼ同様であるが、支点部５３の構成が異なっている。この保持具５では、第１保持片５１と第２保持片５２とをエラストマーによって連結しておらず、第１保持片５１と第２保持片５２は互いに独立している。第１保持片５１の端部には凸部が形成され、この凸部が支点部５３を構成している。この支点部５３によって第１保持片５１と第２保持片５２の位置関係が保たれている。
【００４３】
図８に示すように、保持具５によって光学シート１３を保持してシャーシ１に固定することができる。第１保持片５１の先端部内側にはエラストマーからなる第１保持部５１１が固着されており、第２保持片５２の先端部内側にはエラストマーからなる第２保持部５２１が固着されている。第１保持部５１１および第２保持部５２１によって光学シート１３を挟持するのである。第１保持部５１１、第２保持部５２１、第１保持片５１に設けられたストッパ等の機能は保持具２，３，４と同様である。
【００４４】
第１保持片５１および第２保持片５２には貫通孔が設けられている。その貫通孔に係止固定ピン５４を挿入して、さらに係止固定ピン５４の先端部の爪をシャーシ１に設けられた孔の周縁に係合することにより、第１保持片５１および第２保持片５２を挟持方向に付勢するとともに、保持具５をシャーシ１に固定する。この係止固定ピン５４の機能は保持具４の係止固定ピン４４と同様である。
【００４５】
また、保持具５は、前述の実施の形態と同様に２色射出成形によって製造することができるが、押出成形によって製造することもできる。第１保持片５１および第２保持片５２は、押出成形による成形品を適宜の長さに切断して製造する。貫通孔は後加工により設ける。これにエラストマーからなる部分を接着等により固着して保持具５を製造することができる。さらに、押出成形によって製造する場合に、２色押出成形を利用することにより、硬質樹脂とエラストマーを同時に押出成形して一体に融着することもできる。係止固定ピン５４は、別途射出成形等によって製造したものを使用する。
【００４６】
以上のように、保持具２〜５によって、光学シート１３を適性かつ均等な挟持力により均一に保持することができる。なお、保持具は光学シート１３の４辺のそれぞれに適合する長さに形成されている。４つの保持具により光学シート１３の４辺を保持してシャーシ１に固定してもよいし、小型の表示装置などの場合には、２つの保持具により光学シート１３の対向する２辺だけを保持して固定するようにしてもよい。
【００４７】
次に、保持具による光学シート１３の保持形態の変形例を説明する。図９が、その変形例を示す図である。光学シート１３を保持具２ａによって保持してシャーシ１に固定している。ここで、光学シート１３は光拡散シート１３１、プリズムシート１３２、偏光シート１３３の複数の層が積層されて貼り合わされたものである。なお、この光学シート１３の積層構造や積層順序は、必ずしも図示のようなものに限定されるわけではない。これとは異なる積層構造、積層順序であってもよい。
【００４８】
保持具２ａの構成は、図２の保持具２とほとんど共通であるが、第１保持片２１の第１保持部２１１と、第２保持片２２の第２保持部２２１の位置が異なっている。第１保持部２１１は第１保持片２１の先端端部から支点部２３側に所定距離移動した位置に固着されており、第２保持部２２１は第２保持片２２の先端端部から支点部２３側に同じ距離だけ移動した位置に固着されている。
【００４９】
この場合の光学シート１３では、最下層の光拡散シート１３１の機械的強度が他の層より大幅に弱いものとする。そのような条件では、３層まとめて第１保持部２１１と第２保持部２２１とで挟持しても、十分な保持強度が得られない。むしろ、光拡散シート１３１を除外して他の２層を挟持した方が保持力も大きくでき、光学シート１３に十分な張力を与えて平面度を向上させることができる。
【００５０】
したがって、ここでは光拡散シート１３１の層を端から所定幅だけ切除しておき、他の２層（プリズムシート１３２、偏光シート１３３）を第１保持部２１１と第２保持部２２１とで挟持している。光拡散シート１３１は、第１保持部２１１と第２保持部２２１とによる挟持から除外されている。これにより、光学シート１３を十分な保持力で保持することができ、光学シート１３に十分な張力を与えることができる。
【００５１】
また、挟持から除外された光拡散シート１３１は、第１保持片２１の先端部内面に接着等により固着されることが望ましい。光拡散シート１３１を第１保持片２１に固着することにより、光拡散シート１３１にも十分な張力を与えることができる。なお、光拡散シート１３１が他のシートに貼り合わされていて、それにより十分な張力を与えることができる場合には、必ずしも光拡散シート１３１を第１保持片２１に固着する必要はない。
【００５２】
なお、ここでは光学シート１３の第１保持片２１側の層を除外して挟持する場合を説明したが、第２保持片２２側の層を除外して挟持する場合でもよく、さらに、両側の層を除外して挟持する場合でもよい。また、保持具も、保持具２の構成を基礎とするもので説明したが、保持具２〜５のいずれを基礎とするものでも同様である。
【図面の簡単な説明】
【００５３】
【図１】液晶表示装置のシャーシ１への固定状態を示す図である。
【図２】保持具２によって光学シート１３をシャーシ１に固定保持した状態を示す図である。
【図３】保持具２を開いた状態を示す図である。
【図４】保持具２の図３におけるＡ−Ａ矢視断面図である。
【図５】第２の実施の形態である保持具３の開いた状態を示す図である。
【図６】保持具３によって光学シート１３をシャーシ１に固定保持した状態を示す図である。
【図７】第３の実施の形態である保持具４によって光学シート１３をシャーシ１に固定保持した状態を示す図である。
【図８】第４の実施の形態である保持具５によって光学シート１３をシャーシ１に固定保持した状態を示す図である。
【図９】保持具による光学シート１３の保持形態の変形例を示す図である。
【符号の説明】
【００５４】
１  シャーシ
２，２ａ，３，４，５  保持具
１１  支持部材
１２  バックライト
１３  光学シート
１４  液晶表示パネル
２１，３１，４１，５１  第１保持片
２２，３２，４２，５２  第２保持片
２３，３３，４３，５３  支点部
２４  係止固定部
２５  貫通孔
２６，３６  ストッパ
３４  固定部
４４，５４  係止固定ピン
１３１  光拡散シート
１３２  プリズムシート
１３３  偏光シート
２１１，３１１，４１１，５１１  第１保持部
２２１，３２１，４２１，５２１  第２保持部
３１２  第１係止部
３２２  第２係止部
【図１】
2007188029.tif 000003
【図２】
2007188029.tif 000004
【図３】
2007188029.tif 000005
【図４】
2007188029.tif 000006
【図５】
2007188029.tif 000007
【図６】
2007188029.tif 000008
【図７】
2007188029.tif 000009
【図８】
2007188029.tif 000010
【図９】
2007188029.tif 000011